(57)【特許請求の範囲】
【請求項１】
目標とする量をはかり取るためのはかり取り計量手段を備えた電子天びんであって、はかり取りを選択しその計量目標値を設定するはかり取り設定手段と、前記計量目標値と計量値を比較しその差に対応した文字表示を選択する選択手段と、選択された文字表示を点滅させる文字表示点滅手段を備えた電子天びんにおいて、
前記計量目標値と計量値との差が近接するに従い前記文字表示点滅手段の点滅周期が速くなるように調整する点滅周期調整手段を備え、前記点滅周期調整手段は前記点滅周期を段階的に変化させることを特徴とする電子天びん。
【請求項２】
計量値が計量目標値に到達したことを発音で知らせる発音手段を設けたことを特徴とする請求項１記載の電子天びん。
【発明の詳細な説明】
【技術分野】
【０００１】
本発明は電子天びん／はかりに関し、特にはかり取りを選択し計量目標値を設定するはかり取り設定機能と、計量目標値と計量値との近接度合を表示する近接度表示機能を備えた電子天びん／はかりに関するものである。
【背景技術】
【０００２】
電子天びん／はかりには、単に計量物の重量を計量する計量機能の他、使用者が予め計量すべき計量目標値を設定し、計量する量を加減してその計量目標値内に入る計量物をはかり取るはかり取り機能を併せ持つものがある。このような電子天びんでは、はかり取り作業がより効率的に行えるように計量値表示とともに計量目標値と計量値との近接度合を文字表示と画面表示色を組み合わせて表示したり(例えば特許文献１)あるいはアナログ的にバー表示で示したりする方法が用いられている。  
【特許文献１】特開平５−２５６６８６号公報
【発明の開示】
【発明が解決しようとする課題】
【０００３】
従来、はかり取り用に上記のような電子天びんが用いられているが、計量目標値と計量値との近接度合を文字表示と画面表示色を組み合わせて表示する方法では、画面表示を判別しながら文字表示を読み取るので、文字表示だけに頼る場合に比し、表示画面の読み取りミスを低減させるのに一定の効果があるが、画面表示色を組み合わせることによって画面表示の確認作業が複雑化し情報収集が遅れたり混乱による読み取りミスが発生しやすいという問題がある。また、バー表示を併用する電子天びんにおいては、計量値までを細分化して表示するため表示セグメント数を多くとればとるほど天びん使用者が現在の計量値を認識しやすくなるのは当然であるが、表示部からの信号線数の限界から表示セグメント数には限りがあるという問題がある。
【課題を解決するための手段】
【０００４】
本発明による電子天びんは、目標とする量をはかり取るためのはかり取り計量手段を備えた電子天びんであって、はかり取りを選択しその計量目標値を設定するはかり取り設定手段と、前記計量目標値と計量値を比較しその差に対応した文字表示を選択する選択手段と、選択された文字表示を点滅させる文字表示点滅手段を備えた電子天びんにおいて、前記計量目標値と計量値との差が近接するに従い前記文字表示点滅手段の点滅周期が速くなるように調整する点滅周期調整手段を備え、前記点滅周期調整手段は前記点滅周期を段階的に変化させるものである。さらに、本発明の電子天びんは計量値が計量目標値に到達したことを発音で知らせる発音手段を設けたものである。
【発明の効果】
【０００５】
本発明による電子天びんは、計量目標値と計量値の近接に伴い文字表示の点滅周期が速くなるので、計量物の搭載量をタイミングよく調節でき、文字表示の読み取りミスも少なくなる。またバー表示で使用していた表示セグメント数よりも少ないセグメント数で表示部が構成され、同じ効果を得ることができる。
【図面の簡単な説明】
【０００６】
【図１】本発明の実施例による電子天びんの概略構成を示すブロック図である。
【図２】本発明の電子天びんの動作手順を示すフローチャート図である。
【図３】実施例に係わる表示部の画面変化図（Ａ）〜（Ｆ）である。
【符号の説明】
【０００７】
１  荷重検出回路    ２  信号変換器    ３  演算処理部    ３１  ＲＯＭ    ３２  ＣＰＵ    ３３  ＲＡＭ    ４  インターフェース    ５  はかり取り設定器    ６  表示部    ７  ブザー
【発明を実施するための最良の形態】
【０００８】
本発明の電子天びんの第１の特徴は目標とする量をはかり取るためのはかり取り計量手段を備えた電子天びんであって、はかり取りを選択しその計量目標値を設定するはかり取り設定手段と、計量目標値と計量値を比較しその近接度合に対応した文字表示を選択する選択手段と、選択された文字表示を点滅させる文字表示点滅手段を備えている点にある。また第２の特徴は前記文字表示点滅手段に近接度合に応じて点滅周期を調整する点滅周期調整手段を設けた点にある。さらに第３の特徴は計量値が計量目標値に到達したことを発音で知らせる発音手段を設けた点にある。  したがって最良の形態の基本的な構成はこれら上記第１から第３の特徴を備えた構成を具備する電子天びんである。
【実施例１】
【０００９】
本発明の実施例を図１に基づいて説明する。本電子天びんはロバーバル機構を利用した荷重検出機構（図示省略）に結合された１個又は複数個の圧力センサを組み込んだ荷重検出回路１と、この荷重検出回路１から検出された電気信号をＡ／Ｄ変換してディジタル信号に変換する信号変換器２と、前記ディジタル信号を演算処理して計量値Ｗｘを算出するとともに、インターフェース４を介してはかり取り計量を選択する選択キー及び計量目標値を入力する数値キー等を備えたはかり取り設定器５により入力される目標中心値Ｗ０および許容値±ΔＷで規定される計量目標値Ｗｄ（＝Ｗ０±ΔＷ）を読み込み、前記計量目標値Ｗｄと計量値Ｗｘとの差を比較しその値に対応した文字表示を点滅する点滅表示信号と前記計量値Ｗｘとを表示部６に送信し、音声信号をブザー７に送信する演算処理部３から構成されている。前記点滅表示信号の点滅周期は計量目標値Ｗｄと計量値Ｗｘとの差が近接するに従い点滅周期を速くしていくもので、これにより天びん使用者は点滅周期の速さによって計量値が計量目標値へ近接していく度合を感知することができる。【００１０】
前記演算処理部３は前記信号変換器２からのディジタル信号を演算処理して重量値に変換し、これを表示するための演算処理プログラムを記憶しておくＲＯＭ３１と、演算処理プログラムを実行するＣＰＵ３２と、演算結果や演算パラメータを記憶しておくＲＡＭ３３から構成されている。また、前記表示部６は計量値Ｗｘの表示と“ＬＯＷ”、“ＯＫ”、“ＨＩＧＨ”の文字を選択表示するものである。【００１１】
本電子天びんによって実行されるはかり取りの動作手順を図１及び図２のフローチャートを参照しながら説明する。先ず、はかり取り設定器５によりはかり取りを選択し、目標中心値Ｗ０と許容範囲±ΔＷを入力して計量目標値Ｗｄの設定を行う（ＳＴ１）。そして計量をスタートさせる(ＳＴ２)。前記荷重検出回路１の出力信号は一定周期毎に信号変換器２によりディジタル値に変換されて演算処理部３に送られ、演算処理プログラムに基づいて被計量物の計量値Ｗｘに換算される（ＳＴ３）。この計量値Ｗｘは表示部６に送信されてその計量値Ｗｘ（例えば１９９．９９ｇ）が表示されるとともに（ＳＴ４）、計量目標値の下限値（Ｗ０−ΔＷ）と比較される（ＳＴ５）。【００１２】
前記計量値Ｗｘが下限値（Ｗ０−ΔＷ）を越えない場合は、“ＬＯＷ”点滅信号を表示部６へ送信した後(ＳＴ６)、次の計量を行う。点滅周期Ｔ１は次式（１）から求められる。        Ｔ１＝Ｋ（Ｗ０−ΔＷ−Ｗｘ）／Ｗｓ＋０．１（ｓｅｃ）………（１）  ここで、Ｋ（比例係数）＝２０、Ｗｓ（計量スパン）＝２００ｇとする。  また計量値Ｗｘが下限値（Ｗ０−ΔＷ）以上、上限値（Ｗ０＋ΔＷ）以下にある場合は（ＳＴ７）、“ＯＫ”点灯信号を表示部６に、ブザー信号をブザー７に送信した後（ＳＴ８）、次の計量を行う。  さらに、計量値Ｗｘが上限値（Ｗ０＋ΔＷ）を越える場合は、“ＨＩＧＨ”点滅信号を表示部６へ送信した後(ＳＴ１０)、次の計量を行う。点滅周期Ｔ２は次式（２）から求められる。        Ｔ２＝Ｋ（Ｗｘ−（Ｗ０＋ΔＷ））／Ｗｓ＋０．１（ｓｅｃ）………（２）【００１３】
次に計量スパン２００ｇ、最小表示０．０１ｇの電子天びんを使用し、計量目標値を１０ｇ、許容値を±１ｇとしてはかり取りを行った場合の表示部６の画像の変化を図３（Ａ）〜（Ｆ）に示す。電子天びんの計量皿に計量物が載置されていない状態、すなわち重量が０．００ｇにおいては、“ＬＯＷ”が周期１秒で点滅する（Ａ）。計量値が８．９０ｇとなると“ＬＯＷ”が周期０．１１秒で点滅する。そして計量値が計量目標値の下限９．００ｇに達すると“ＯＫ”が連続点灯するとともにブザー７が鳴り、計量物が計量目標値に到達したことを知らせる。さらに計量値が計量目標値の上限を越えて１１．１０ｇに達すると“ＨＩＧＨ”が周期０．１１秒で点滅する。そして計量値が１５．００ｇになると“ＨＩＧＨ”が周期０．５秒で点滅する。さらに計量値が２０．００ｇになると“ＨＩＧＨ”が周期１秒で点滅する。【００１４】
上記実施例において計量値と計量目標値の近接度合に応じて点滅周期は、式（１）、（２）で示されるように連続的に変わるものであるが、これに固定されるものではなく点滅周期の変化が明確に把握できるように段階的に変えるようにしてもよい。また、前記比例係数Ｋは使用者がはかり取り作業を行うのに適した点滅周期に合わせて変えられるものである。
【産業上の利用可能性】
【００１５】
本発明ははかり取り計量機能を備えた電子天びん／はかりに利用される。 
【図１】
0005280848.tif 000002
【図２】
0005280848.tif 000003
【図３】
0005280848.tif 000004